(57)【要約】【課題】  伸縮力の増強された膝ベルトを有する腰アシストベルトを提供する。【解決手段】使用者の腰部に装着する腰ベルト（２）と、前記腰ベルト（２）と使用者の膝蓋骨直下の膝蓋腱領域まで伸びる膝ベルト（３）からなる腰アシストベルト（１）であって、前記腰ベルト（２）の上端部に前記膝ベルト（３）の上端部が連結されている。前記膝ベルト（３）の上端部は上端ベルト（３１）であり、この上端ベルト（３１）に前記膝ベルト（３）の長さ調節具（３２）が取り付けられている。前記膝ベルト（３）は、途中で下方向に枝分かれして２本の第１分枝ベルト（３３）となり、前記第１分枝ベルト（３３）の各々はさらに途中で枝分かれして２本の第２分枝ベルト（３４）となり、前記第２分枝ベルト（３４）の端部同士は着脱自在に接合可能である。  【選択図】  図３
2020116060.tif 000002
【特許請求の範囲】
【請求項１】
使用者の腰部に装着する腰ベルト（２）と、前記腰ベルト（２）と使用者の膝蓋骨直下の膝蓋腱領域まで伸びる膝ベルト（３）からなる腰アシストベルト（１）であって、
前記腰ベルト（２）の上端部に前記膝ベルト（３）の上端部が連結されることを特徴とする腰アシストベルト（１）。
【請求項２】
前記膝ベルト（３）の上端部には上端ベルト（３１）があり、この上端ベルト（３１）に前記膝ベルト（３）の長さ調節具（３２）が取り付けられている請求項１記載の腰アシストベルト（１）。
【請求項３】
前記膝ベルト（３）は、
途中で下方向に枝分かれして２本の第１分枝ベルト（３３）となり、
前記第１分枝ベルト（３３）の各々はさらに途中で枝分かれして２本の第２分枝ベルト（３４）となり、
前記第２分枝ベルト（３４）の端部同士は着脱自在に接合可能である、
請求項１又は２記載の腰アシストベルト（１）。
【請求項４】
前記第２分枝ベルト（３４）の前記端部同士を連結するために、さらに伸縮可能なゴム紐（３７）が付加されている請求項３記載の腰アシストベルト（１）。
【請求項５】
前記腰ベルト（２）と前記膝ベルト（３）がそれぞれ相互に連結可能な連結具（２４４，３２）を有し、着脱自在である請求項１〜３のいずれかに記載の腰アシストベルト（１）。
【請求項６】
前記腰ベルト（２）の中央部に合成樹脂板（２４）が設けられ、この合成樹脂板（２４）の外側にネット（２５）が設けられている請求項１〜４のいずれかに記載の腰アシストベルト（１）。
【発明の詳細な説明】
【技術分野】
【０００１】
本発明は、重量物の運搬や中腰姿勢での作業のために腰や体に負担がかかる人たちが、負担を軽減させるために装着するのに適した腰アシストベルトに関する。
【背景技術】
【０００２】
生産現場、物流、運送業、農業等で重量物を運搬したり、長時間中腰姿勢を取り続けたりする人たちの中には腰や体の負担のために、骨盤や脊椎骨に異常をきたして腰痛や椎間板ヘルニアに悩まされている人が多い。
【０００３】
その発症の予防や症状の緩和を目的として現在手軽に行われているのは、腰部や膝部にサポートベルトを装着することである。例えば、特開２００３―１５３９２８、特開２０１１―２７７、特開２０１２−１４３３７２など多数の発明が知られている。
【０００４】
形状的に本願発明に最も近いと思われる特開２０１２−１４３３７２の腰部負担軽減装具１（従来技術に関する符号はこの公報記載の符号である）を例にとると、人体の腰部に装着する腰部ベルト１０と、左右の膝部に装着し、膝蓋骨下部領域に当接する加圧部２１を備えた一対の膝部ベルト２０と、臀部から大腿部背面に沿うように前記腰部ベルトと各膝部ベルトの間を連結して、前記加圧部２１により膝蓋腱を圧迫するように牽引する下部弾性ベルト２５とを備えている。
【先行技術文献】
【特許文献】
【０００５】
【特許文献１】特開２００３―１５３９２８
【特許文献２】特開２０１１―２７７
【特許文献３】特開２０１２−１４３３７２
【発明の概要】
【発明が解決しようとする課題】
【０００６】
後述する本願発明において「膝ベルト」と呼ぶ部品は、上記特開２０１２−１４３３７２では、膝部ベルト２０と下部弾性ベルト２５と非弾性ベルト２６を合わせたものに相当する。この従来技術のベルト２５、２６は、実質的に腰ベルト下端部と膝部の間で伸縮する。
【０００７】
ベルトの伸縮力は、強度が同じであれば、長さが長いほど伸びしろが大きくなり力が有効利用できる。本発明では、上記従来技術よりも膝ベルトの長さを長くすることにより、伸縮力を増強させた膝ベルトを有する腰アシストベルトを提供することを目的とする。
【課題を解決するための手段】
【０００８】
本発明は、使用者の腰部に装着する腰ベルト２と、前記腰ベルト２と使用者の膝蓋骨直下の膝蓋腱領域まで伸びる膝ベルト３からなる腰アシストベルト１であって、前記腰ベルト２の上端部に前記膝ベルト３の上端部が連結されることを特徴とする。
【０００９】
前記膝ベルト３の上端部には上端ベルト３１があり、この上端ベルト３１に前記膝ベルト３の長さ調節具３２が取り付けられている。
【００１０】
前記膝ベルト３は、途中で下方向に枝分かれして２本の第１分枝ベルト３３となり、前記第１分枝ベルト３３の各々はさらに途中で枝分かれして２本の第２分枝ベルト３４となり、前記第２分枝ベルト３４の端部同士は着脱自在に接合可能である。
【００１１】
膝ベルトにおける最初の枝分かれは着用者の臀部領域下部付近であり、２度目の枝分かれは着用者の太腿下部領域付近であるように設定するが、着用者の体格・体型により多少の差異が発生するかもしれない。なお、膝ベルトの高さ方向位置は調節可能である。
【００１２】
好ましくは、前記第２分枝ベルト３４の前記端部を相互に連結するために、別に伸縮可能なゴム紐３７が取り付けられている。
【００１３】
また好ましくは、前記腰ベルト２と前記膝ベルト３が相互に連結可能な連結具を有し着脱自在である。
【００１４】
さらに好ましくは、前記腰ベルトの中央部に合成樹脂板２４が設けられ、この合成樹脂板２４の外側にネット２５が設けられている。
【発明の効果】
【００１５】
本発明によれば、前記腰ベルト２の上端部に前記膝ベルト３の上端部が連結される。このようにすることにより、腰ベルト最下端に連結するときと比べて、膝ベルト３の長さを約１５ｃｍ長く確保することができ、膝ベルト３の伸縮力を十分に利用することができる。
【００１６】
以下、添付の図面に基づき、本発明の実施例を説明する。
【図面の簡単な説明】
【００１７】
【図１】本発明の１実例に係る腰アシストベルトを着用している使用状態を示す斜視図である。
【図２】同腰アシストベルトの斜視図である。
【図３】同腰アシストベルト着用状態の背面図である。
【図４】同腰アシストベルトの腰ベルトと膝ベルトを分離した状態を示す背面図である。
【図５】同腰アシストベルトの完成状態の背面図である。
【図６】同腰アシストベルトの完成状態の正面図である。
【発明を実施するための形態】
【００１８】
添付の各図に示すように、本発明の１実施例に係る腰アシストベルト１は、腰ベルト２と膝ベルト３の２要素からなる。腰ベルト２と膝ベルト３は着脱自在であり、図４が２要素を分離した状態、残りの図は組み合わせた状態である。
【００１９】
腰ベルト２は着用者の腰部に巻いて固定する長さを有する平板であり、左右端部２１，２２において相互に接合するように、面ファスナー等の接合具２１１，２２１が設けられている。
【００２０】
腰ベルト２の中央部には、内側（人体側）に剛直な合成樹脂板２４が設けられ、外側にネット２５が設けられている。
【００２１】
樹脂板２４は図２に示すように、中央部２４１が内側に盛り上がって背骨を背後から押圧可能である。さらにこの樹脂板２４には複数の貫通孔２４２が設けられると共に、この貫通孔２４２周辺部には複数の隆起部２４３が形成されている。貫通孔２４２は空気の流通を可能にして蒸れを防ぐためであり、隆起部２４３は貫通孔２４２を設けることによる樹脂板２４の弱体化を防ぐためである。
【００２２】
ネット２５は目合いが約１ｍｍであって、図４に示すように、樹脂板２４の背後を全面的にカバーしている。このネット２５は主として、貫通孔２４２と着衣が直接接触するのを避けるためである。
【００２３】
腰ベルト２の樹脂板２４とネット２５に膝ベルト３を取り付けるために腰ベルト２に連結具２４４が設けられている。連結具２４４の取付位置は図３〜５に示すように、樹脂板２４の最上端であり、左右２個所に設けられている。図示の連結具２４４は筒状の布地である。
【００２４】
膝ベルト３は腰ベルト２最上端から使用者の膝蓋骨直下の膝蓋腱領域まで伸びるベルトである。このように、膝ベルト３を腰ベルト２の最上端に連結することにより、腰ベルト最下端に連結するときと比べて、膝ベルト３の長さを長く確保することができ、膝ベルト３の伸縮力を増強させることができる。
【００２５】
膝ベルト３の素材としては、伸縮性があって強靭なものであることが必須であり、例えば、「パワーネット」と呼ばれる、目合いが約０．５ｍｍ程度のきめの細かい合成樹脂製ネットを二重にして用いることができる。
【００２６】
膝ベルト３の上端は２本の上端ベルト３１であり、この上端ベルト３１の折返し部分には腰ベルト２の連結具２４４と係合可能な連結具３２が２個所取り付けられている。連結具３２は膝ベルト３の長さ調節具を兼ねており、着用者の体格や足の長さなどに応じて長さ調節が可能である。図示の連結具３２は腰ベルトの筒状連結具２４４に挿入可能な爪３２１を有する。
【００２７】
膝ベルト３は図３に示すように、臀部下領域付近から枝分かれして２本の第1分枝ベルト３３となり左右の脚部の背後に沿って伸びる。図４に示すように、２本の第1分枝ベルト３３は太腿下部においてさらに枝分かれしてそれぞれ２本（合計４本）の第２分枝ベルト３４となる。左右の各足２本の第２分枝ベルト３４端部には面ファスナー等の接合具３５，３６が取り付けられると共に、２本の第２ベルト３４端部を相互に接合するために伸縮可能なゴム紐３７が取り付けられている。
【００２８】
膝ベルト３の左右の各足２本の第２ベルト３４端部同士の接合具３５，３６を接合するとリングを形成し、使用者の膝蓋腱領域に固定される。このときゴム紐３７も各足の膝蓋腱領域の背後に位置してリングを形成する。
【００２９】
これらの腰ベルト２と膝ベルト３からなる腰アシストベルト１を装着した状態を前から見れば図１のようであり、後ろから見ると図３のようである。すなわち、着用者の腰部に腰ベルト２がしっかり固定されて腰部が安定すると共に、腰部と膝蓋腱付近との間を膝ベルト３が緊張状態に繋ぐことになる。
【００３０】
この腰アシストベルトを装着して前かがみになったり荷物を持ち上げたりすると、膝ベルト３が腰部上部と膝部の間の緊張を保ちながら伸縮する。そのため、前かがみになったときに伸びた膝ベルト３が再び縮むときの復元力を荷物の持ち上げに利用できるので身体への負担が軽減される。
【符号の説明】
【００３１】
１     腰アシストベルト
２     腰ベルト
２１，２２    左右端部
２１１，２２１       接合具
２４   合成樹脂板
２４１ 中央部
２４２ 貫通孔
２４３ 隆起部
２４４ 連結具
２５  ネット
３     膝ベルト
３１   ベルト
３２   連結具
３２１  爪
３３   第１分枝ベルト
３４   第２分枝ベルト
３５，３６    接合具
３７   ゴム紐
【図１】
2020116060.tif 000003
【図２】
2020116060.tif 000004
【図３】
2020116060.tif 000005
【図４】
2020116060.tif 000006
【図５】
2020116060.tif 000007
【図６】
2020116060.tif 000008